(57)【特許請求の範囲】
【請求項１】
周壁上縁部を折り返し縁とした容器本体と、周壁上縁部を容器本体の折り返し縁の外側に被嵌し得るように折り返し、且つその側壁に凹リブを設けるとともに当該凹リブ下側の折り返し縁下側部を前記容器本体の折り返し縁よりも長く下方に垂下させて形成してなる中皿と、中皿の折り返し縁外側に嵌合可能な縁部を有していて当該縁部内周に係止突条を設けてなる蓋体とを具備し、中皿の凹リブを容器本体の折り返し縁下端の下側に係合させて中皿を容器本体に被着し、蓋体の係止突条を容器本体に被着された中皿の凹リブ内に嵌め入れて蓋体を中皿の外側に被着し、中皿に被着した蓋体縁部の下方に中皿の折り返し下側部が突出するように構成した食品容器。
【請求項２】
周壁上縁部を折り返し縁とした容器本体と、周壁上縁部を容器本体の折り返し縁の外側に被嵌し得るように折り返し、且つ当該折り返し縁下側部を容器本体の折り返し縁よりも下方に長く垂下させて形成してなる中皿と、中皿の折り返し縁外側に嵌合可能な縁部を有していて当該縁部内周に係止突条を設けてなる蓋体とを具備し、中皿を容器本体に被嵌し、蓋体の係止突条を中皿の折り返し縁の下部を外側から押圧変形させた状態で容器本体の折り返し縁下端の下側に係合することにより蓋体を中皿の外側に被着し、中皿に被着した蓋体縁部の下方に中皿の折り返し下側部が突出するように構成した食品容器。
【発明の詳細な説明】
【０００１】
【発明の属する技術分野】
本発明は、食品を収納可能な中皿を容器本体内に装着し、容器本体と中皿に異なる食品を別個に収納可能としたプラスチック製の食品容器に関する。
【０００２】
【従来の技術】
この種従来例の食品容器を図６に示せば、同図（Ａ）は容器本体２１の周壁内側に段部２１ａを設け、この段部２１ａで中皿２２を支持するように形成したもの、同図（Ｂ）は中皿２２の周壁縁部２２ａを水平に延設し、これを容器本体２１の折り返し縁部２１ｂに載せて中皿２２が支持されるように形成したものであり、これら従来の何れのものも中皿２２は容器本体２１の開口面に載置しているに過ぎず、中皿２２が容器本体２１に密嵌する構成は採られていなかった。
【０００３】
【発明が解決しようとする課題】
上記従来の形態の内、前者は中皿２２が固定されていないため、容器運搬中に容器本体２１と中皿２２間に隙間が生じやすく、後者は容器本体２１と蓋体２３の間に中皿２２が介在しているので蓋体２３の取付けが不安定となって外れやすく、そのため、共に容器外側面にフィルムやラベルを貼着する等して容器本体２１と蓋体２３とを密閉させねばならなかった。他方、このようにフィルムを貼着等すると、開蓋に手間がかかり、容器をひっくり返したり収納物をこぼしたりし易い等の不便があった。
【０００４】
本発明は、従来の技術の有するこのような問題点に鑑みてなされたものであり、その目的とするところは、容器本体と中皿にそれぞれ食品を密封して収納することができ、而も食用時には両者を簡単に分離可能で、取扱いの便宜の良い食品容器を提供することにある。
【０００５】
【課題を解決するための手段】
上記課題を解決するため本発明の食品容器は、周壁上縁部を折り返し縁とした容器本体と、周壁上縁部を容器本体の折り返し縁の外側に被嵌し得るように折り返し、且つその側壁に凹リブを設けてなるとともに当該凹リブ下側の折り返し縁下側部を前記容器本体の折り返し縁よりも長く下方に垂下させて形成してなる中皿と、中皿の折り返し縁外側に嵌合可能な縁部を有していて当該縁部内周に係止突条を設けてなる蓋体とを具備し、中皿の凹リブを容器本体の折り返し縁下端の下側に係合させて中皿を容器本体に被着し、蓋体の係止突条を容器本体に被着された中皿の凹リブ内に嵌め入れて蓋体を中皿の外側に被着し、中皿に被着した蓋体縁部の下方に中皿の折り返し下側部が突出するように構成したことを特徴としている。
また、本発明の食品容器は、周壁上縁部を折り返し縁とした容器本体と、周壁上縁部を容器本体の折り返し縁の外側に被嵌し得るように折り返し、且つ当該折り返し縁下側部を容器本体の折り返し縁よりも下方に長く垂下させて形成してなる中皿と、中皿の折り返し縁外側に嵌合可能な縁部を有していて当該縁部内周に係止突条を設けてなる蓋体とを具備し、中皿を容器本体に被嵌し、蓋体の係止突条を中皿の折り返し縁の下部を外側から押圧変形させた状態で容器本体の折り返し縁下端の下側に係合することにより蓋体を中皿の外側に被着し、中皿に被着した蓋体縁部の下方に中皿の折り返し下側部が突出するように構成したことを特徴としている。
【０００６】
【発明の実施の形態】
本発明の好適な実施例を図面に基づいて詳細に説明する。
本実施例の食品容器は、汁物やご飯類，各種惣菜等、異なる種類の食品を別個に密封して収納し、販売するのに好適なものであり、図中、符号１，８及び１４はそれぞれ圧空乃至真空成形等のサーモフォーミング法により成形された容器本体，中皿及び蓋体である。
【０００７】
容器本体１は、略円形の底面２の周縁から上方開拡しつつ適宜高さで周壁３を立ち上げて収納部４とすると共に、周壁３の上周縁を下向きに折曲して平坦乃至若干湾曲した上面５を有した折り返し縁６として形成してある。
【０００８】
中皿８は、容器本体１の開口７に装入可能な形状の収納用凹陥部９を有しており、その周壁１０の上周縁を、容器本体１の折り返し縁６の外側面に被嵌し得るように上面１１を有した折り返し縁１２とし、この折り返し縁１２の下側部１２ａを容器本体１の折り返し縁９よりも長く下方に垂下させて設けると共に、その側壁に適宜な幅で内方に突出する凹リブ１３を周設して形成してある。凹リブ１３は、中皿８を容器本体１に被嵌した際に、容器本体１の折り返し縁６の下端６ａの下側に係合する位置に設けてある。また、凹リブ１３は嵌合強度を強くするため縁部全周に渡って設けることが好ましいが、凹陥部９の中心から一定の角度、例えば９０°や１２０°等毎の側壁位置に、適宜長さに渡って設けてもよい。
【０００９】
蓋体１４は、その周縁１５を中皿８の折り返し縁１２の外側に被嵌し得る形状となし、その側壁下縁内周に、逆テーパ状に突出していて中皿８の凹リブ１３に嵌入可能な大きさの係止突条１６を設けて形成してある。係止突条１６は凹リブ１３に対応させて適宜な長さに設けることができる。
【００１０】
容器本体１及び蓋体１４の材質としては、ポリスチレン、ポリ塩化ビニル、ポリプロピレン、フィラー入りのポリプロピレン、ポリアクリロニトリル、ポリカーボネート等の適度な強度を有するプラスチックを用いることができる。一方、中皿８は上記の他、適度な可撓性を有する材質、好ましくは延伸ポリスチレン、ポリスチレンペーパー、ハイインパクトステロール等のポリスチレン系プラスチック等を用いることができる。
【００１１】
このように構成された本例の食品容器は、容器本体１と中皿８にそれぞれ食品を収納し、容器本体１の開口７に中皿８の凹陥部９を装入し、容器本体１の折り返し縁６に中皿８の折り返し縁１２を覆い被せて重合すると共に、凹リブ１３を折り返し縁６の下端６ａの下側に係合させて中皿８を容器本体１に被着し、さらに、蓋体１４の周縁１５を中皿８の外側面に被せ、係止突条１６を中皿８の凹リブ１３内に嵌入することにより蓋体１４を中皿８に被着して容器全体を閉蓋することができる。
【００１２】
この場合、図３に示すように、容器本体１の開口７上に中皿８が被さり、折り返し縁６の下端６ａの下側全周に中皿８の凹リブ１３が係合しており、而も中皿８には、凹リブ１３に係止突条１６を嵌入させて蓋体１４が被嵌しているので、中皿８が確実に容器本体１にロックされ、位置ズレや隙間等を生じさせる恐れがない。また、同図に示すように、凹リブ１３に嵌入した突条１６は、凹リブ１３を挟んで容器本体１の折り返し縁６に係合しているので、容器本体１に対する中皿８及び蓋体１４の取付けが確実であり、高い密封性を維持することができる。
【００１３】
また、食用時には、中皿８の折り返し縁１２の下側部１２ａと蓋体１４の周縁１５をそれぞれ摘んで中皿８から蓋体１４を取り去り、同様にして容器本体１の周壁を支えつつ中皿８の折り返し縁１２の下側部１２ａを摘んでこれを引き剥がすことにより、容器本体１から中皿８を取り去ることができる。なお、中皿８の縁部を容易に把持できるようにするため、上記下側部１２ａには水平な折り返し鍔部１２ｂを設けることが好ましい。
【００１４】
図４は、本発明の他の実施例を示しており、これは、中皿８を、前記の如き凹リブ１３を設けずに、折り返し縁１２の下側部１２ａを下方に長く垂下させて形成し、図５に示すように使用の際に、これを容器本体１に被嵌し、その上から蓋体１４を被せ、蓋体１４の係止突条１５を、中皿８の折り返し縁１２の下側部１２ａを容器内方に向けて押圧した状態で容器本体１の折り返し縁６の下端６ａの下側に係合させ、蓋体１４を中皿８の外側に被着するように構成したものである。
【００１５】
本例の構成によれば、蓋体１４の突条１６が容器本体１の折り返し縁６の下側に係合しているので、中皿８及び蓋体１４が容器本体１にしっかりと嵌合し、高い密封性を維持することができる。なお、この場合、中皿８は、柔らかく湾曲し易い、高い可撓性を有する材質により形成することが好ましい。
【００１６】
上記各実施例は、容器本体１を平面円形状としたが、収納する食品の種類や量等に応じて他の曲面形状や多角形状等としてもよい。また。容器本体１，中皿８及び蓋体１４の外周面には、補強用或いは展示効果を高めるためのリブを形成したり装飾模様等を印刷表示したりすることができ、蓋体１４は、外部から収納物を視ることができるように透明乃至有色半透明に形成することができる。
【００１７】
【発明の効果】
本発明の食品容器によれば、食品が収納された中皿を容器本体に外嵌合させて、容器本体の収納部内を確実に密封することができると共に、中皿の外側面部に、周縁内壁に係止突条を有する蓋体を被嵌して当該中皿内を確実に密封することができるので、中皿が容器本体に確実に被嵌し、位置ズレや隙間を生じさせるおそれがないので、閉蓋時、容器外側面にフィルムやラベル等を貼着する手間を省くことができる。
【００１８】
また、食用時には、蓋体と中皿の周縁部をそれぞれ摘んで簡単に取り去ることができるので、容器をひっくり返す等の恐れがなく、開封の手間がかからず、取扱いが容易である。
【図面の簡単な説明】
【図１】本発明の一実施例の食品容器の分解斜視図である。
【図２】図１の食品容器の要部拡大断面図である。
【図３】図１の食品容器の閉蓋状態の周縁部の拡大端面図である。
【図４】本発明の他の実施例の食品容器の要部分解断面図である。
【図５】図４の食品容器を示す、（Ａ）は中皿を容器本体に被着した状態、（Ｂ）は蓋体を容器本体に被着した状態の周縁部の拡大端面図である。
【図６】（Ａ），（Ｂ）は従来の中皿付き食品容器の断面図である。
【符号の説明】
1   容器本体
2   底面
3   周壁
4   収納部
5   上面
6   折り返し縁
7   開口
8   中皿
9   凹陥部
10   周壁
11   上面
12   折り返し縁
13   凹リブ
14   蓋体
15   周縁
16   突条
【図１】
0003662642.tif 000002
【図２】
0003662642.tif 000003
【図３】
0003662642.tif 000004
【図４】
0003662642.tif 000005
【図５】
0003662642.tif 000006
【図６】
0003662642.tif 000007